(57)【要約】  二次外タンク（６）内の一次内タンク（４）の建設を容易にし、二次外タンク（６）が建てられた後、二次外タンク（６）の上部を通した、または二次外タンク（６）の下にトンネリングすることによる挿入を必要とすることなく一次内タンク（４）の建設を可能にするプレキャストプレストレストコンクリートタンク（２）および方法（１００）が開示される。一次内タンク（４）は、内壁（２２）を有し、二次外タンク（６）は、外壁（３２）（プレキャストプレストレストコンクリート）およびワイヤ巻線（３６）を有する。一次内タンク（４）は、二次外タンク（６）の内側に配置される。二次外タンク（６）は、複数の第１のプレキャスト外壁パネル（８）と、仮設開口部フレーム（１０）とを有する。仮設開口部フレーム（１０）は、タンク（２）の建設中のアクセス用出入口を画定する。仮設開口部フレーム（１０）は、基礎ベーススラブ（３０）に配置される。
2021506696.tif 000002
【特許請求の範囲】
【請求項１】
内壁を含む一次タンクと、
ワイヤ巻線を備えた外壁を含む二次タンクであって、前記一次タンクは、前記二次タンクの内側に配置され、前記二次タンクは、複数の第１のプレキャスト外壁パネル、および基礎ベーススラブに配置された仮設開口部フレームを含む二次タンクと
を備え、
前記仮設開口部フレームは、前記第１のプレキャスト外壁パネルの少なくとも１つに配置される、
プレキャストプレストレストコンクリートタンク。
【請求項２】
前記仮設開口部フレームは、ベースセクションと、一対の柱セクションと、ヘッダビームセクションとを有する、請求項１に記載のプレキャストプレストレストコンクリートタンク。
【請求項３】
前記仮設開口部フレームは、内プレートおよび第１の層の吹付けコンクリートで密閉される、請求項１に記載のプレキャストプレストレストコンクリートタンク。
【請求項４】
前記仮設開口部フレームは、外プレートおよび第２の層の吹付けコンクリートでさらに密閉される、請求項３に記載のプレキャストプレストレストコンクリートタンク。
【請求項５】
１つのプレキャスト外壁パネルは、前記仮設フレーム開口部の第１の側に取り付けられ、第２のプレキャスト外壁パネルは、前記仮設フレームの第２の側に取り付けられる、請求項１に記載のプレキャストプレストレストコンクリートタンク。
【請求項６】
少なくとも１つの第２のプレキャスト外壁パネルがある、請求項１に記載のプレキャストプレストレストコンクリートタンク。
【請求項７】
前記少なくとも１つの第２のプレキャスト外壁パネルは、前記仮設開口部フレームの前記ヘッダビームセクションの上部に配置される、請求項１に記載のプレキャストプレストレストコンクリートタンク。
【請求項８】
前記少なくとも１つの第２のプレキャスト外壁パネルは、前記第１のプレキャスト外壁パネルの高さよりも低い高さを有する、請求項７に記載のプレキャストプレストレストコンクリートタンク。
【請求項９】
前記プレキャスト外壁パネルは、垂直接続プレートを有し、前記少なくとも１つの第１のプレキャスト外壁パネルの前記垂直接続プレートは、前記仮設開口部フレームに溶接される、請求項１に記載のプレキャストプレストレストコンクリートタンク。
【請求項１０】
前記仮設開口部フレームの前記柱セクションに溶接された複数のクランプがある、請求項１に記載のプレキャストプレストレストコンクリートタンク。
【請求項１１】
前記クランプは、前記ワイヤ巻線の自由端を固定する、請求項１０に記載のプレキャストプレストレストコンクリートタンク。
【請求項１２】
内壁を含む一次タンクと、
ワイヤ巻線を備えた外壁を含む二次タンクであって、前記一次タンクは、前記二次タンクの内側に配置され、前記二次タンクは、複数の第１のプレキャスト外壁パネル、少なくとも１つの第２のプレキャスト外壁パネル、および基礎ベーススラブに配置された仮設開口部フレームを含み、前記少なくとも１つの第２のプレキャスト外壁パネルは、前記第１のプレキャスト外壁パネルの高さよりも短い高さを有する二次タンクと
を備え、
前記仮設開口部フレームは、ベースセクション、一対の柱セクション、およびヘッダビームセクションを有し、前記仮設開口部フレームは、一対の前記第１のプレキャスト外壁パネルの間に配置され、前記少なくとも１つの第２のプレキャスト外壁パネルは、一対の第２のプレキャスト外壁パネルを含み、前記一対の第２のプレキャスト外壁パネルは、前記仮設開口部フレームの前記ヘッダビームセクションの上部に配置され、複数のクランプを有し、前記クランプは、前記第１のワイヤ巻線を前記仮設開口部フレームに固定し、前記仮設開口部フレームは、内プレート、第１の層の吹付けコンクリート、外プレート、および第２の層の吹付けコンクリートで密閉され、追加の相のワイヤ巻線がさらに巻き付けられる、
プレキャストプレストレストコンクリートタンク。
【請求項１３】
プレキャストプレストレストコンクリートタンクを製造するための方法であって、
複数の第１のプレキャスト外壁パネルおよび少なくとも１つの第２のプレキャスト外壁パネルを提供するステップであって、前記少なくとも１つの第２のプレキャスト外壁パネルは、前記第１のプレキャスト外壁パネルの各々よりも短い高さを有するステップと、
アクセス用出入口を画定し、複数のクランプを含む仮設開口部フレームを提供するステップと、
前記第１のプレキャスト外壁パネル、前記少なくとも１つの第２のプレキャスト外壁パネル、および前記仮設開口部フレームを組み立てて二次タンクを提供するステップであって、前記仮設開口部フレームは、前記二次タンクアセンブリの内部へのアクセスを提供するステップと、
一相のワイヤ巻線を前記二次タンクの少なくとも一部の周りに巻き付けるステップと、
前記クランプで前記ワイヤ巻線を前記仮設開口部フレームの上にクランプするステップと、
前記仮設開口部フレームの前記アクセス用出入口の上の前記ワイヤ巻線を切断するステップであって、前記ワイヤ巻線の残りの部分は、前記クランプによって所定の位置に保持されるステップと、
前記アクセス用出入口を通した構成要素の送達により、一次タンクアセンブリを前記二次タンク内に組み立てるステップと、
前記仮設開口部フレームの前記アクセス用出入口を密閉するステップと
を含む、方法。
【請求項１４】
前記アクセス用出入口を前記密閉するステップに続いて、追加の相のワイヤ巻線を前記第２のタンクアセンブリの周りに巻き付けるステップを含む追加のステップがある、請求項１３に記載の方法。
【請求項１５】
追加の相のワイヤ巻線を前記巻き付けるステップに続いて、吹付けコンクリートを二次タンクアセンブリに適用し、それによりプレストレスト鉄筋コンクリートタンクが製造されるステップを含む追加のステップがある、請求項１４に記載の方法。
【請求項１６】
前記アクセス用出入口を密閉するステップは、内プレートを前記仮設開口部フレームに溶接するステップを含む、請求項１４に記載の方法。
【請求項１７】
前記アクセス用出入口を密閉するステップは、吹付けコンクリートを前記内プレートに適用するステップをさらに含む、請求項１５に記載の方法。
【請求項１８】
前記アクセス用出入口を密閉するステップは、外プレートを前記仮設開口部フレームの前記内プレートに適用された前記吹付けコンクリートの表面に溶接するステップをさらに含む、請求項１６に記載の方法。
【請求項１９】
一相のワイヤ巻線を前記巻き付けるステップに先行して、前記仮設開口部フレームを仮裏当てで充填するステップを含む追加のステップがある、請求項１３に記載の方法。
【請求項２０】
一次タンクアセンブリを組み立てるステップに先行して、前記仮裏当てを除去するステップをさらに含む追加のステップがある、請求項１３に記載の方法。
【発明の詳細な説明】
【技術分野】
【０００１】
関連出願の相互参照
本出願は、２０１７年１２月１９日に出願された米国仮出願番号第６２／６０７，３５６号の利益を主張する。上記の出願の開示全体は、参照により本明細書に組み込まれる。
【０００２】
本開示は、液化ガスを貯蔵するためのコンクリートタンクに関し、より詳細には、液化ガスを貯蔵するためのプレキャストプレストレストコンクリートタンクを製造するための方法に関する。
【背景技術】
【０００３】
メタン、窒素、および天然ガスなどの多くのガスは、通常の周囲温度をはるかに下回る温度で貯蔵されるため、液体の状態を保つことができる。これにより、場合によっては限られたスペースに大量のガスを貯蔵することが可能である。このような低温液化ガスは、通常、高圧に維持されるのではなく、ほぼ大気圧にまたは比較的低圧下で維持される。したがって、貯蔵タンクまたは施設は、大きな内圧用に設計する必要はない。
【０００４】
例えば、すべてＣｌｏｓｎｅｒらに付与され、Ｐｒｅｌｏａｄ  Ｃｏｒｐ．に譲渡されている米国特許第３，０９２，９３３号、第３，６３３，３２８号、および第３，４８８，９７２号に記載されているように、プレキャストプレストレストコンクリートタンクは、液化ガスの貯蔵でよく知られている。典型的には、プレキャストプレストレストコンクリートタンクは、一次タンクを画定する内壁と、二次タンクを画定する外壁とを有する。外壁は、張力下で外壁の周りにワイヤ巻線を適用することによってプレストレスされる。内壁は、典型的には、９％ニッケル鋼または極低温での使用に適したいくつかの他のタイプの鋼で建設される。場合によっては、内タンクもまた、プレキャストプレストレストコンクリートであってもよい。
【０００５】
プレキャストプレストレストコンクリートタンクの建設中、外壁が最初に構築されると、内壁は、タンクの上部の開口部を通して、またはタンクの下から内壁を挿入するために基礎の下にトンネリングすることによって挿入する必要がある。しかし、プレキャストプレストレストコンクリートタンクのこれらの従来の建設方法は、複雑であり望ましくない。
【０００６】
二次タンク内の一次タンクの建設を容易にするプレキャストプレストレストコンクリートタンクおよび方法が、引き続き必要とされている。望ましくは、プレキャストプレストレストコンクリートタンクおよび方法は、外壁が建てられた後、外壁の上部を通した、または外壁の下にトンネリングすることによる挿入を必要とすることなく内壁の建設を可能にする。
【先行技術文献】
【特許文献】
【０００７】
【特許文献１】米国特許第３，０９２，９３３号
【特許文献２】米国特許第３，６３３，３２８号
【特許文献３】米国特許第３，４８８，９７２号
【発明の概要】
【０００８】
本開示と一致して、二次外タンク内の一次内タンクの建設を容易にし、外壁が建てられた後、外壁の上部を通した、または外壁の下にトンネリングすることによる挿入を必要とすることなく内壁の建設を可能にするプレキャストプレストレストコンクリートタンクおよび方法が、驚くべきことに発見された。
【０００９】
一実施形態では、プレキャストプレストレストコンクリートタンクは、内壁を備えた一次タンクと、外壁（プレキャストプレストレストコンクリート）およびワイヤ巻線を備えた二次タンクとを含む。一次タンクは、二次タンクの内側に配置される。二次タンクは、複数の第１のプレキャスト外壁パネル、および仮設開口部フレームを有する。プレキャストプレストレストコンクリートタンクの組み立て中、仮設開口部フレームは、アクセス用出入口を画定する。仮設開口部フレームは、基礎ベーススラブに配置され、密閉される。
【００１０】
別の実施形態では、プレキャストプレストレストコンクリートタンクは、内壁を有する一次タンクと、ワイヤ巻線を備えた外壁を有する二次タンクとを含む。一次タンクは、二次タンクの内側に配置される。二次タンクは、複数の第１のプレキャスト外壁パネル、少なくとも１つの第２のプレキャスト外壁パネル、および基礎ベーススラブに配置された仮設開口部フレームを含む。仮設開口部フレームは、ベースセクションと、一対の柱セクションと、ヘッダビームセクションとを有する。仮設開口部フレームは、一対の第１のプレキャスト外壁パネルの間に配置され、ヘッダビームセクションの上部に配置された２つの第２のプレキャスト外壁パネルを有する。第２のプレキャスト外壁パネルの各々は、第１のプレキャスト外壁パネルの高さよりも短い高さを有する。仮設開口部フレームは、複数のクランプを有する。クランプは、第１のワイヤ巻線を仮設開口部フレームに固定する。仮設開口部フレームは、内プレート、第１の層の吹付けコンクリート、外プレート、および第２の層の吹付けコンクリートで密閉され、追加の相のワイヤ巻線がさらに巻き付けられる。
【００１１】
さらなる実施形態では、プレキャストプレストレストコンクリートタンクを製造するための方法は、複数の第１のプレキャスト外壁パネルおよび少なくとも１つの第２のプレキャスト外壁パネルの提供を含む。少なくとも１つの第２のプレキャスト外壁パネルは、第１のプレキャスト外壁パネルの各々よりも短い。仮設開口部フレームもまた、提供される。仮設開口部フレームは、アクセス用出入口を画定し、複数のクランプを含む。次に、第１のプレキャスト外壁パネル、少なくとも１つの第２のプレキャスト外壁パネル、および仮設開口部フレームは、二次タンクアセンブリを提供するために組み立てられる。仮設開口部フレームのアクセス用出入口は、二次タンクアセンブリの内部へのアクセスを提供する。次に、単相のワイヤ巻線が第２のタンクアセンブリの少なくとも一部の周りに巻き付けられる。ワイヤ巻線は、クランプで仮設開口部フレームの上にクランプされる。次いで、仮設開口部フレームのアクセス用出入口の上のワイヤ巻線が切断され、ワイヤ巻線の残りの部分は、クランプによって張力下で所定の位置に保持されたままになる。次に、アクセス用出入口を通した構成要素の送達により、一次タンクアセンブリが二次タンクアセンブリ内に組み立てられる。次いで、仮設開口部フレームのアクセス用出入口は、密閉される。
【００１２】
さらなる適用範囲は、本明細書に提供される説明から明らかになるであろう。説明および具体的な例は、例示のみを目的としており、本開示の範囲を限定することを意図していないことを理解されたい。
【００１３】
本明細書で説明する図面は、例示のみを目的としており、決して本開示の範囲を限定することを意図するものではない。上記、ならびに本開示の他の利点は、特に以下で説明する図面に照らして考慮されるとき、以下の詳細な説明から当業者に容易に明らかになるであろう。
【図面の簡単な説明】
【００１４】
【図１】本開示の一実施形態によるプレキャストプレストレストコンクリートタンクの正面斜視図である。
【図２】仮設開口部フレームを示す、組み立て状態の図１に示すプレキャストプレストレストコンクリートタンクの正面斜視図である。
【図３】仮設開口部フレームならびに複数の第１および第２のプレキャスト外壁パネルを示す、組み立て状態の図１に示すプレキャストプレストレストコンクリートタンクの正面斜視図である。
【図４】複数のクランプ、複数の第１および第２のプレキャスト外壁パネル、ならびに第１の相のワイヤ巻線を備えた仮設開口部フレームを示す、組み立て状態の図１に示すプレキャストプレストレストコンクリートタンクの正面斜視図である。
【図５】複数のクランプ、複数の第１および第２のプレキャスト外壁パネル、ドーム、ならびに第１の相のワイヤ巻線を備えた仮設開口部フレームを示し、ワイヤ巻線が仮設開口部フレームで切断され、切断されたワイヤ巻線の自由端がクランプによって固定されている、組み立て状態の図１に示すプレキャストプレストレストコンクリートタンクの分解正面斜視図である。
【図６Ａ】図４および図５に示すクランプの１つの正面図である。
【図６Ｂ】図６Ａに示すクランプの側面図である。
【図７】複数のクランプ、複数の第１および第２のプレキャスト外壁パネル、ドーム、ならびに第１の相のワイヤ巻線を備えた仮設開口部フレームを示し、第１の相のワイヤ巻線が仮設開口部フレームで切断され、切断されたワイヤ巻線の自由端がクランプによって固定され、スロープが仮設開口部に設置され、一次タンクの内壁が仮設開口部フレームの開口部を通して設置されている、組み立て状態の図１に示すプレキャストプレストレストコンクリートタンクの正面斜視図である。
【図８】仮設開口部フレーム、複数の第１および第２のプレキャスト外壁パネル、複数のクランプ、ドーム、ならびに仮設開口部フレームの開口部を密閉するプレートアセンブリを示す、組み立て状態の図１に示すプレキャストプレストレストコンクリートタンクの正面斜視図である。
【図９】図８の切断線９−−９に沿った一次タンクの内壁およびプレートアセンブリの断片的な断面側面図である。
【図１０】複数のクランプ、複数の第１および第２のプレキャスト外壁パネル、ドーム、プレートアセンブリの上に配置された第２の相のワイヤ巻線を備えた仮設開口部フレームを示す、組み立て状態の図１に示すプレキャストプレストレストコンクリートタンクの正面斜視図である。
【図１１】本開示の一実施形態による、図１〜図１０に示すプレキャストプレストレストコンクリートタンクを製造する方法を例示するフローチャートである。
【発明を実施するための形態】
【００１５】
以下の詳細な説明および添付の図面は、本開示の様々な例示的な実施形態を説明および例示する。説明および図面は、当業者が本開示を作製および使用することができるようにするのに役立ち、いかなる形でも本開示の範囲を限定することを意図するものではない。
【００１６】
図１〜図１１では、本開示の様々な実施形態による、仮設開口部フレーム１０を備えたプレキャストプレストレストコンクリートタンク２、およびプレキャストプレストレストコンクリートタンク２を製造するための方法１００が示されている。プレキャストプレストレストコンクリートタンク２の組み立ての方法１００は、以下で説明するように、図２〜図１０にさらに例示されている。
【００１７】
図１、図４〜図５、および図７〜図９に示すように、タンク２は、一次タンク４と、二次タンク６とを含む。一次タンク４は、二次タンク６の内側に構築される。一次タンクは、内壁（図７において「２２」として識別される）を有する。二次タンク６は、外壁（図４〜図５において「３２」として識別される）を有する。図２〜図４を参照すると、タンク２は、本明細書でさらに説明するベース２４をさらに含み、その上に内壁２２および外壁３２が配置される。
【００１８】
図１〜図５、図７〜図８、および図１０に示す実施形態では、タンク２は、円筒形状を有する。しかし、タンク２の他の形状が企図され、また、本開示の範囲内で当業者によって選択されてもよい。
【００１９】
図２〜図３に示すように、二次タンク６は、複数の第１のプレキャスト外壁パネル８と、仮設開口部フレーム１０と、少なくとも１つの第２のプレキャスト外壁パネル１２と、ドーム１５とを含む。少なくとも１つの第２のプレキャスト外壁パネル１２は、例えば、図３に示すように、一対の第２のプレキャスト外壁パネル１２を含むことができる。しかし、任意の他の数の少なくとも１つの第２のプレキャスト外壁パネル１２が用いられてもよい。
【００２０】
第１のプレキャスト外壁パネル８および少なくとも１つの第２のプレキャスト外壁パネル１２は、非限定的な例として、鋼鉄筋補強コンクリートから製作され得る。プレキャスト壁パネル８、１２を製造するための他の適切な材料および手段もまた、必要に応じて選択することができる。
【００２１】
図３を参照すると、少なくとも１つの第２のプレキャスト外壁パネル１２は、第１のプレキャスト外壁パネル８の高さ（Ｈ１）よりも低い高さ（Ｈ２）を有し得る。高さＨ１とＨ２のこの違いにより、第１のプレキャスト外壁パネル８と少なくとも１つの第２のプレキャスト外壁パネル１２の両方の上縁を同一平面上または実質的に同じ平面上に維持しながら、少なくとも１つの第２のプレキャスト外壁パネル１２を仮設開口部フレーム１０の上に載置することが可能である。これにより、例えば、図５に示すように、ドーム１４を二次タンク６の上部に配置し、第１のプレキャスト外壁パネル８と少なくとも１つの第２のプレキャスト外壁パネル１２の両方の上縁に固定することがさらに可能になる。
【００２２】
ある特定の実施形態では、第１のプレキャスト外壁パネル８および少なくとも１つの第２のプレキャスト外壁パネル１２の各々は、パネル８、１２の幅にわたってわずかに弓形の断面を備えた実質的に長方形の側面プロファイルを有し得る。有利には、第１のプレキャスト外壁パネル８および少なくとも１つの第２のプレキャスト外壁パネル１２の湾曲により、図３に図示するように、複数の第１のプレキャスト外壁パネル８が二次タンク６の外壁３２の円筒構造を形成することを可能にする。第１のプレキャスト外壁パネル８はまた、パネル８、１２の各側でコンクリートに形成された複数の溶接プレート（図示せず）を有することができる。これらの溶接プレートにより、二次タンク６を形成するときにパネルを互いに溶接することが可能である。
【００２３】
再び図２を参照すると、仮設開口部フレーム１０は、ベースセクション１４と、一対の柱セクション１６と、ヘッダビームセクション１８とを有する。仮設開口部フレーム１０は、仮設開口部またはアクセス用出入口２０を画定する。仮設開口部フレーム１０は、９％Ｎｉ鋼から製作されてもよい。しかし、当業者はまた、必要に応じて、仮設開口部フレーム１０のための他の適切な材料を選択してもよい。
【００２４】
特定の実施形態では、各々は、仮設開口部フレーム１０のベースセクション１４、一対の柱セクション１６、およびヘッダビームセクション１８を有し、その建設中に高強度グラウトで充填され得る中空チャネル（図示せず）を有することができる。高強度グラウトは、仮設開口部フレーム１０を強化し、仮設開口部フレーム１０をパネル８、１２と一体化するのを補助するように構成される。特に、高強度グラウトは、非収縮、非ブリード性のグラウトであり得る。高強度グラウトは、二次タンク６のパネル８、１２を製作するために使用されるコンクリートの圧縮強度と少なくとも等しい圧縮強度を有するように選択することができる。
【００２５】
図２に示すように、仮設開口部フレーム１０は、ベース２４と一体的に製作され得るか、または場合によってはベース２４にしっかりと固定され得る。例示的な実施形態では、ベース２４は、仮設開口部フレーム１０と、スケッチプレート２６と、スカートプレート２８と、基礎ベーススラブ３０とを含む。仮設開口部フレーム１０のベースセクション１４は、例えば、スカートプレート２８と一体であってもよい。締結具および溶接を含む、仮設開口部フレーム１０をタンク２のベース２４に接続するための他の適切な手段もまた、本開示の範囲内で用いられてもよい。
【００２６】
図２を引き続き参照すると、基礎ベーススラブ３０は、コンクリートスラブであってもよい。基礎ベーススラブ３０は、約５フィートの厚さを有することができるが、他の厚さが企図され、使用されてもよい。基礎ベーススラブ３０は、ベーススラブ３０から周囲にわたって延びる耐震ベースケーブル（図示せず）および滑り軸受（図示せず）をさらに有することができる。当業者はまた、必要に応じて、基礎ベーススラブ３０のための他の適切な建設パラメータを選択してもよい。
【００２７】
特に、スケッチプレート２６は、９％Ｎｉ鋼から製作することができるが、他の適切な材料が使用されてもよい。スケッチプレート２６は、最終的な外壁の下の全周にわたって互いに溶接することができ、「ｍｉｒｒｏｒ−８」仕上げのステンレス鋼プレートは、スケッチプレート２６の下側にエポキシ化され、滑り軸受の上に存在する。
【００２８】
同様に、スカートプレート２８は、９％Ｎｉ鋼または任意の他の適切な材料から製作され、外壁３２のすぐ外側で、基礎ベーススラブ３０の耐震ベースケーブルのすぐ内側で全周にわたって互いに溶接され得る。開示されているように、仮設開口部フレーム１０のベースセクション１４は、スカートプレート２８と一体的に製作される。スカートプレート２８は、スケッチプレート２６に溶接され、二次タンク６の外壁３２の底隅を形成する。第１のプレキャスト外壁パネル８は、内側に存在し、スケッチプレート２６およびスカートプレート２８によって画定された底隅に当接している。
【００２９】
図３に示すように、仮設開口部フレーム１０は、非限定的な例として、第１のプレキャスト外壁パネル８の２つの下部を置き換えることができる。また、仮設開口部フレーム１０は、必要に応じて、第１のプレキャスト外壁パネル８の単一のプレキャストの下部、または第１のプレキャスト外壁パネル８の３つ以上のプレキャストの下部を置き換えるようなサイズであってもよいことを認識されたい。
【００３０】
組み立て中、図３にも示すように、第１のプレキャスト外壁パネル８の１つは、仮設開口部フレーム１０の第１の側に配置され、別の第１のプレキャスト外壁パネル８は、仮設開口部フレーム１０の第２の側に配置される。次に、少なくとも１つの第２のプレキャスト外壁パネル１２が、仮設開口部フレーム１０のヘッダビームセクション１８に配置される。これにより、仮設開口部フレーム１０は、タンク２の第１のプレキャスト外壁パネル８、少なくとも１つの第２のプレキャスト外壁パネル１２、およびベース２４によって完全に囲まれる。
【００３１】
図４を参照すると、仮設開口部フレーム１０の柱セクション１６は、複数のクランプ３４を有することができる。クランプ３４は、仮設開口部フレーム１０に溶接することができるが、クランプ３４を柱セクション１６にしっかりと固定するための他の適切な手段が使用されてもよい。
【００３２】
１つの非限定的な例では、クランプ３４は各々、例えば、図６Ａおよび図６Ｂに示すように、一対のクランプ本体４０を有し得る。クランプ本体４０は、クランプ本体４０の少なくとも１つのねじ穴を通して配置された少なくとも１つのねじ付き締結具４２によって接続されてもよい。クランプ本体４０の各々はまた、ワイヤ巻線（図４において「３６」として識別される）を受容し、動作中にワイヤ巻線３６をしっかりと保持するように適合された内部凹部を有し得る。最も特定の例では、クランプ本体４０の各々は、図６Ｂに示すように、ワイヤ巻線３６の少なくとも２つをしっかりと保持するように適合される。当業者はまた、必要に応じて、クランプ３４のための他の適切なクランプ手段を選択してもよい。
【００３３】
組み立て中、図５に示すように、クランプ３４を使用して第１の相のワイヤ巻線３６の自由端を固定し、以下でさらに説明するように、仮設開口部２０の上のセクションが切断されて除去されたとき（図５および図７に示す）であっても、張力下でワイヤ巻線３６をしっかりと保持する。
【００３４】
図８に示すように、仮設開口部２０は、以下でまた説明するように、仮設開口部２０の上の第１の相のワイヤ巻線３６のセクションの切断および除去の後、また一次タンク４の設置の後にプレートアセンブリ４４によってさらに密閉される。最も特定の実施形態では、プレートアセンブリ４４は、図９に示すように、内プレート４６、第１の塗布の吹付けコンクリート４８、外プレート５０、および第２の塗布の吹付けコンクリート５２を含む、４つの別個の層を有することができる。
【００３５】
例えば、内プレート４６は、９％Ｎｉ鋼から製作されてもよく、仮設開口部２０を密閉するように構成される。内プレート４６は、仮設開口部フレーム１０に溶接され得る。内プレート４６はまた、複数の垂直支持体と、少なくとも１つの水平支持体とを有してもよい。様々な支持体は、内プレート４６の表面にわたって中空チャネルを残す。次に、プレートアセンブリ４４の第１の塗布の吹付けコンクリート４８は、内プレート４６の中空チャネルに配置され得る。
【００３６】
外プレート５０は、９％Ｎｉ鋼から製作されてもよく、同様に、仮設開口部２０を密閉するように構成されてもよい。外プレート５０は、第１の塗布の吹付けコンクリート４８および仮設開口部フレーム１０に配置され、そこで外プレート５０が仮設開口部フレーム１０に溶接される。外プレート５０は、互いにほぼ平行に載置される２つの別々のプレートを含み得る。プレートは、仮設開口部フレーム１０と内プレート４６の水平支持体の両方に溶接することができる。第２の塗布の吹付けコンクリート５２は、外プレート５０に配置される。
【００３７】
プレートアセンブリ４４が仮設開口部２０を密閉するために設置されている場合、プレートアセンブリは、図９にも図示するように、一次タンク４の内壁２２からさらに離間される。有利には、プレートアセンブリ４４のこの特定の建設は、二次タンク６に関連する外壁３２の残りの部分と同等またはそれ以上の強度であることが分かっている。さらに、プレートアセンブリ４４および密閉された仮設開口部２０の上部に配置された追加の相のワイヤ巻線５４があってもよく、これは動作中のプレートアセンブリ４４の所望の強度にさらに寄与する。
【００３８】
第２のまたは追加の相のワイヤ巻線５４の適用に続いて、追加の相のワイヤ巻線を吹付けコンクリートによってさらに覆い、図１に示すように、それによってタンク２の建設を完成させることができる。
【００３９】
本開示は、図１１に示し、また以下で詳述されるように、プレキャストプレストレストコンクリートタンク２を製造するための方法１００をさらに含む。
【００４０】
方法１００は、複数の第１のプレキャスト外壁パネル８および少なくとも１つの第２のプレキャスト外壁パネル１２を提供する第１のステップ１０２を含む。説明したように、少なくとも１つの第２のプレキャスト外壁パネル１２は、第１のプレキャスト外壁パネル８の各々の高さ（Ｈ１）よりも短い高さ（Ｈ２）を有する。仮設開口部フレーム１０はまた、図３に示すように、高さ（Ｈ３）を有することができ、高さ（Ｈ２）と高さ（Ｈ３）の合計は、ある特定の実施形態では高さ（Ｈ１）にほぼ等しい。パネル８、１２は、上述したように、鉄筋インレー（ｒｅｂａｒ  ｉｎｌａｙ）のコンクリートからパネル８、１２を鋳造することによって提供されてもよい。
【００４１】
方法１００の第２のステップ１０４は、図２に示すように、仮設開口部フレーム１０を提供することを含む。仮設開口部フレーム１０は、アクセス用出入口２０を画定し、複数のクランプ３４を含む。より具体的には、方法１００の第２のステップ１０４は、コンクリートベーススラブ３０を敷設し、耐震ベースケーブルおよび滑り軸受を設置することを含む。次に、スケッチプレート２６およびスカートプレート２８は、基礎ベーススラブ３０に設置される。スカートプレート２８の設置は、仮設開口部フレーム１０の設置を含む。次いで、仮設開口部フレーム１０の中空チャネルは、前述の高強度グラウトで充填される。
【００４２】
次に、方法１００は、図３に示すように、第１のプレキャスト外壁パネル８、少なくとも１つの第２のプレキャスト外壁パネル１２、および仮設開口部フレーム１０を組み立て、二次タンク６の外壁３２を提供する第３のステップ１０６を含む。第３のステップ１０６の下で組み立てると、仮設開口部フレーム１０は、開口部またはアクセス用出入口２０を介して二次タンク６の内部へのアクセスを提供することを認識されたい。
【００４３】
第３のステップ１０６の下でのこの組み立ては、クレーンにより第１のプレキャスト外壁パネル８を持ち上げることと、第１のプレキャスト外壁パネル８をベース２４の底隅の周りの所定の位置に設定することとを含み得る。第１のプレキャスト外壁パネル８の１つは、仮設開口部フレーム１０の第１の側に配置され、別のプレキャスト外壁パネル８は、仮設開口部フレーム１０の第２の側に配置される。次に、少なくとも１つの第２のプレキャスト外壁パネル１２が、仮設開口部フレーム１０のヘッダビームセクション１８に配置される。
【００４４】
個々の第１のプレキャスト外壁パネル８、第２のプレキャスト外壁パネル１２、および仮設開口部フレーム１０は、その後パネル８、１２内のそれぞれの溶接プレートに沿って互いに溶接される。次に、吹付けコンクリートは、第１のプレキャスト外壁パネル８、第２のプレキャスト外壁パネル１２、および仮設開口部フレーム１０の間に適用される。次いで、吹付けコンクリートはまた、組み立てられたパネル８、１２によって画定された外壁３２全体に適用される。
【００４５】
方法１００の第４のステップ１０８は、仮設開口部を仮裏当て３８で充填することを含む。有利には、仮裏当て３８は、方法１００の後続のステップ中に仮設開口部２０を充填し、これにより、二次タンク６がワイヤ巻線３６の第１の段でプレストレスされ得る。
【００４６】
特に、図４に図示するように、方法１００は、第１の相のワイヤ巻線３６を第２のタンクアセンブリの少なくとも一部の周りに巻き付けることを含む第５のステップ１１０を有する。この第１の相のワイヤ巻線３６は、クランプ３４の凹部４１を通過する。例えば、巻線３６は、二次タンク６の外壁３２の高さＨ１全体に巻き付くことができる。当業者はまた、必要に応じて、巻線３６を第２のタンク６の周りに巻き付ける他の適切な高さを選択してもよい。
【００４７】
方法１００の第６のステップ１１２は、第１の相のワイヤ巻線３６を仮設開口部フレーム１０および仮裏当て３８の上にクランプすることを含む。より具体的には、クランプ３４の各々のねじ付き締結具４２は、ワイヤ巻線３６のうちの関連する巻線の上に締め付けることができる。ねじ付き締結具４２は、クランプ本体４０の間の凹部４１に配置されるとき、クランプ本体４０を互いに向かって引っ張り、クランプ作用をワイヤ巻線３６に対して引き起こす。さらに、ワイヤ巻線３６をクランプ３４に溶接し、ワイヤ巻線３６をクランプ３４にさらに固着することができる。
【００４８】
方法１００は、仮設開口部フレーム１０によって画定される仮設開口部２０の上で第１の相のワイヤ巻線３４を切断することを含む第７のステップ１１４を有する。ワイヤ巻線の残りの部分は、クランプ３４によって張力下で所定の位置に保持される。図５に示すように、クランプは、場合によっては第１の相のワイヤ巻線３６の自由端を固定し、仮裏当て３６が露出するようにワイヤ巻線３６の切断部分を除去することを可能にする。
【００４９】
方法１００の第８のステップ１１６は、仮設開口部フレーム１０からの仮裏当て３６の除去を含む。有利には、第１の相のワイヤ巻線３６が切断された後、仮裏当て３８を除去し、仮設開口部２０を通して一次タンク４を組み立てることができる。特に、一次タンク４の予め形成された壁部分は、開口部またはアクセス用出入口２０を通して挿入されてもよい。ドーム１５は、二次タンク６の設置と同時に製作される。ドームはまた、例えば、図５に示すように、一次タンク４が二次タンク６内に構築される前に二次タンク６の上部に設置されてもよい。
【００５０】
方法１００は、仮設開口部２０を通した構成要素の送達および設置によって一次タンク４を二次タンク６内に組み立てる第９のステップ１１８をさらに含む。この目的のために、スロープ５６は、仮設開口部２０に隣接して構築され得、二次タンク６内の一次タンク４のための機器および構成要素の移動を容易にする。次に、アクセス用出入口２０を通した必要な構成要素の送達により、一次タンク４が二次タンク６内に組み立てられる。
【００５１】
一次タンク４が二次タンク６内で完成すると、方法１００の第１０のステップ１２０は、仮設開口部フレーム１０のアクセス用出入口２０の密閉を含む。仮設開口部２０を密閉する第１０のステップ１２０は、具体的には、仮設開口部フレーム１０への内プレート４６の溶接を含むことができる。次に、仮設開口部は、第１の塗布の吹付けコンクリート４８によってさらに密閉される。次いで、外プレート５０は、仮設開口部フレーム１０および内プレート４６に溶接される。次に、第２の塗布の吹付けコンクリート５２は、外プレート５０の上に適用される。プレートアセンブリ４４の例示的な建設もまた、上記でさらに説明されており、図９に示されている。
【００５２】
次に、方法１００は、例えば、図１０に示すように、追加の相のワイヤ巻線５４を二次タンク６の周りに巻き付ける第１１のステップ１２２を含む。より具体的には、第１１のステップ１２２は、メッシュスクリーンを有する外壁３２からの構築および吹付けコンクリートのさらなる塗布を含み得る。次に、追加の相のワイヤ巻線５４が二次タンク６のベースの周りに巻き付けられる。より具体的には、追加の相のワイヤ巻線５４は、図１０に示すように、二次タンク６のベースの周りに少なくとも仮設開口部フレーム１０の高さ（Ｈ３）まで巻き付けられる。続いて、最終層の吹付けコンクリートが適用され、追加の相のワイヤ巻線５４を覆う。スロープ５６が除去され、アクセス用階段が二次タンク６の外壁３２に沿って設置される。
【００５３】
方法１００の第１２のステップ１２４は、最終層の吹付けコンクリートを二次タンク６に適用することを含み得る。この吹付けコンクリートの最終適用に続いて、図１に示すように、タンク２が完成する。
【００５４】
例示的な実施形態を例示する目的で、様々な材料および寸法が説明され、図面に示されている。しかし、当業者は、本開示の範囲から逸脱することなく、プレストレスト鉄筋コンクリートタンク２のための他の適切な材料および寸法を選択してもよいことを認識されたい。
【００５５】
有利には、プレキャストプレストレストコンクリートタンク２および関連する製造方法の仮設開口部フレーム１０は、一次タンク４の製造時に二次タンク６の底部を通したトンネリング、または二次タンク６の上部を通した構成要素の持ち上げを必要とすることなく、プレキャストプレストレストコンクリートタンク２の製造を容易にする。
【００５６】
より具体的には、一次タンク４を形成する構成要素は、仮設開口部２０を通して挿入され得、その後、二次タンク６が一次タンク４の組み立てに続いて完成され得るように密閉されることを理解されたい。
【００５７】
前述の説明から、当業者は、本発明の本質的な特徴を容易に確認することができ、その精神および範囲から逸脱することなく、様々な変更および修正を本発明に加え、様々な使用法および条件に適合させることができる。
【図１】
2021506696.tif 000003
【図２】
2021506696.tif 000004
【図３】
2021506696.tif 000005
【図４】
2021506696.tif 000006
【図５】
2021506696.tif 000007
【図６Ａ】
2021506696.tif 000008
【図６Ｂ】
2021506696.tif 000009
【図７】
2021506696.tif 000010
【図８】
2021506696.tif 000011
【図９】
2021506696.tif 000012
【図１０】
2021506696.tif 000013
【図１１】
2021506696.tif 000014
【国際調査報告】
2021506696.tif 000015